(57)【要約】【課題】ブラシ毛による塵の掻き出し性能の低下を招くことなく、ブラシ毛への毛絡みを抑制できるとともに吸塵性能も向上できる電気掃除機用吸込み具を提供する。【解決手段】吸込み具１１は吸込み具本体１２と複数のブラシ毛２１を具備する。吸込み具本体１２は、吸込み管部１３及びこの管部の一端側に設けられた環形のブラシ台部１５を有する。ブラシ毛２１の夫々は、複数本の毛材を束状に集合して形成され、かつ、ブラシ台部１５にこの台部１５に沿って環状に並べて植毛されている。これら複数のブラシ毛２１の内の少なくとも一部のブラシ毛を、それらの並び方向に隣接したブラシ毛２１の高さ方向中央部同士のブラシ毛間隔Ｘよりもブラシ毛２１の毛先側同士のブラシ毛間隔Ｙの方が広くなるように形成したことを特徴としている。【選択図】      図４
2010035847.tif 000002
【特許請求の範囲】
【請求項１】
吸込み管部及びこの管部の一端側に設けられた環形のブラシ台部を有した吸込み具本体と、複数本の毛材を束状に集合して形成されるとともに前記ブラシ台部に沿って環状に並べて前記ブラシ台部に植毛された複数のブラシ毛とを具備した電気掃除機用吸込み具において、
複数の前記ブラシ毛の内の少なくとも一部のブラシ毛を、それらの並び方向に隣接した前記ブラシ毛の高さ方向中央部同士のブラシ毛間隔よりも前記ブラシ毛の毛先側同士のブラシ毛間隔の方が広くなるように形成したことを特徴とする電気掃除機用吸込み具。
【請求項２】
吸込み管部及びこの管部の一端側に設けられた環形のブラシ台部を有した吸込み具本体と、複数本の毛材を束状に集合して形成されるとともに前記ブラシ台部に沿って環状に並べて前記ブラシ台部に植毛された複数のブラシ毛とを具備した電気掃除機用吸込み具において、
環形の前記ブラシ台部が、前壁部と、この前壁部が延びる方向の両端から後方に向けて略直角に折れ曲がった側壁部と、これら側壁部を一体に連続してＵ字状をなした後壁部とから形成されていて、前記前壁部と前記側壁部の内の少なくとも前記側壁部に植毛されたブラシ毛を、それらの並び方向に隣接した前記ブラシ毛の高さ方向中央部同士のブラシ毛間隔よりも前記ブラシ毛の毛先側同士のブラシ毛間隔の方が広くなるように形成し、前記吸込み管部の上流側開口を前記ブラシ台部の後部内側に対向させたことを特徴とする電気掃除機用吸込み具。
【請求項３】
前記少なくとも一部のブラシ毛が短い毛材群と長い毛材群とで形成されているとともに、これら長短の毛材群が前記ブラシ毛の高さ方向中央部に段差を形成して束状に集合されていることを特徴とする請求項１又は２に記載の電気掃除機用吸込み具。
【請求項４】
前記少なくとも一部のブラシ毛が、その高さ方向中央部から毛先に至るに従い次第に細く形成されていることを特徴とする請求項１又は２に記載の電気掃除機用吸込み具。
【発明の詳細な説明】
【技術分野】
【０００１】
本発明は、被掃除面の塵を掻き出す複数のブラシ毛を環状に並べてブラシ台部に植毛した電気掃除機用吸込み具に関する。
【背景技術】
【０００２】
従来、延長管に接続される吸込み管部の先端に環形のブラシ台部を一体に設け、このブラシ台部に、複数本の毛材を集合させて束状に形成されたブラシ毛を環状に並べて植毛してなる掃除機用吸込具が知られている（例えば、特許文献１参照。）。
【０００３】
この吸込具は、吸込み管部を電気掃除機の集塵部に連通させた状態で被掃除面に沿って移動させて使用される。それにより、被掃除面の塵を複数のブラシ毛で掻き出しながら、この塵を、ブラシ台部の内側で開口された吸込み管部に吸引して、被掃除面を掃除できる。
【特許文献１】特開平１１−２６２４１２号公報
【発明の開示】
【発明が解決しようとする課題】
【０００４】
ブラシ台部に植毛されたブラシ毛を形成する複数本の毛材は、ブラシ毛の根元側で密集しているのに対して、ブラシ毛の毛先側程広がっている。これにより、ブラシ毛の並び方向に隣接したブラシ毛の相互間隔は、ブラシ毛の根元側ほど広く、ブラシ毛の毛先側ほど狭くなっていて、場合によっては隣接するブラシ毛の毛先部同士は互いに接触した状態にある。このような情況は特許文献１の掃除機用吸込具でも例外ではない。
【０００５】
そのため、特許文献１の吸込具を用いての掃除では、環状に並べられたブラシ毛列の周囲から内側に吸込まれる被掃除面上の塵が、ブラシ毛の並び方向に隣接したブラシ毛の毛先部間を通りづらい。特に、吸込具を被掃除面に強く押付けながら移動させるに伴い、この移動方向と反対側にブラシ毛が曲がって、隣接したブラシ毛の毛先部が互いに接触して壁のように連続する場合には、なお更である。
【０００６】
したがって、従来の吸込具は、吸塵性能に改善の余地があるとともに、ブラシ毛に塵が絡まり（この状態を毛絡みと称する。）易い。そのために、吸込具の使用後に、ブラシ毛に絡まった塵を除去する手間を使用者が要する頻度が高い、という点で不便である。
【０００７】
なお、この点に対処するために、ブラシ毛の植毛間隔を広くすれば、それに応じて、ブラシ毛の並び方向に隣接したブラシ毛の毛先部の相互間隔を広くできる。しかし、このようにした場合には、ブラシ毛の数が減るので、被掃除面上の塵を掻き出す性能が低下することは免れない。これとともに、ブラシ毛の並び方向に隣接したブラシ毛の根元側の相互間隔も広くなったことで、この根元側相互間隔を通って空気が吸込まれ易くなる結果で、ブラシ毛の毛先部側からの空気の吸込みが減るに伴い、環状のブラシ毛列の周囲の塵を吸引する性能が低下するので好ましくない。更に、この点を改善するには、ブラシ毛の高さを低く（言い換えれば、ブラシ台部からの突出長さを短く）すればよいが、このようにした場合は、ブラシ毛が変形し難くなるに伴い、被掃除面上の塵をブラシ毛が掻き出す性能が低下するので好ましくない。
【０００８】
本発明の目的は、ブラシ毛による塵の掻き出し性能の低下を招くことなく、ブラシ毛への毛絡みを抑制できるとともに吸塵性能も向上できる電気掃除機用吸込み具を提供することにある。
【課題を解決するための手段】
【０００９】
本発明は、吸込み管部及びこの管部の一端側に設けられた環形のブラシ台部を有する吸込み具本体と、複数本の毛材を束状に集合して形成されるとともにブラシ台部に沿って環状に並べてブラシ台部に植毛された複数のブラシ毛を具備した電気掃除機用吸込み具を前提とする。
【００１０】
そして、前記目的を達成するために、複数のブラシ毛の内の少なくとも一部のブラシ毛を、それらの並び方向に隣接したブラシ毛の高さ方向中央部同士のブラシ毛間隔よりもブラシ毛の毛先側同士のブラシ毛間隔の方が広くなるように形成したことを特徴としている。
【発明の効果】
【００１１】
本発明の電気掃除機用吸込み具によれば、被掃除面に接するブラシ毛の数を減らすことなく、被掃除面上の塵が隣接したブラシ毛の毛先部側間を通り易い構成であるので、ブラシ毛による塵の掻き出し性能の低下を招くことなく、ブラシ毛への毛絡みを抑制できるとともに吸塵性能も向上できる。
【発明を実施するための最良の形態】
【００１２】
図１〜図５を参照して本発明の第１実施形態を説明する。
【００１３】
図１中符号１は第１実施形態に係る吸込み具１１を常備する例えばキャニスタ型の電気掃除機を示している。この電気掃除機１は、掃除機本体２と、吸塵風路体５と、吸込み具１１を備えている。
【００１４】
車輪２ａが取付けられた掃除機本体２の後部に図示しない電動送風機が内蔵されている。掃除機本体２の前部は電動送風機の上流側となっており、この前部には図示しない塵分離手段及びこの手段で分離された塵を溜める集塵部等が設けられている。塵分離手段には、そこに吸引された塵の慣性エネルギーを利用して塵と空気を分離するサイクロン式等の慣性分離式の塵分離装置を好適に用いることができるが、紙パックを用いてもよく、或いは粗塵を空気から分離する紙パックと、粗塵以外の塵を慣性分離により空気と分離する塵分離装置を併用した塵分離手段とすることも可能である。
【００１５】
吸塵風路体５は、可撓性の吸塵ホース６と、延長管７と、吸込み口体８とを備えている。吸塵ホース６の一端部６ａは、例えば掃除機本体２の前部上面を開閉する蓋２ｂに設けた接続口２ｃに取外し可能に差込接続されていて、この接続により吸塵ホース６内と前記塵分離手段とが連通される。延長管７が着脱可能に嵌合して連結される吸塵ホース６の他端部（先端部）６ｂに、延長管７を介して吸込み口体８を移動操作するためのハンドル９が設けられている。このハンドル９に前記電動送風機の運転等を指令する手元スイッチ１０が取付けられている。
【００１６】
延長管７は外管７ａと内管７ｂとを例えば伸縮可能に組み合わせて形成されている。外管７ａは吸塵ホース６の他端部６ｂに着脱可能に嵌合されている。この外管７ａの他端（先端）から突出された内管７ｂの先端部７ｃに、吸込み具１１が着脱可能に嵌合されている。吸込み具１１にはその先端側から吸込み口体８が有した接続管８ａ（図２参照）が着脱可能に嵌合されている。吸込み口体８は、掃除対象である部屋の床面等の被掃除面を掃除するのに好適なものであり、通常床ブラシとも称されている。
【００１７】
吸込み具１１を使用しない状態での掃除では、電動送風機の運転に伴い、吸込み口体８の下面に開口している吸塵口を通って吸込まれた含塵空気が、吸込み具１１、延長管７、吸塵ホース６を、この記載順に通過して掃除機本体２内に導かれる。それにより、掃除機本体２内で空気と塵が分離されて、塵が集塵部に溜められる一方で、電動送風機から排出された空気が掃除機本体２の外部に放出される。
【００１８】
次に、吸込み具１１について説明する。図３〜図５に示すように吸込み具１１は、吸込み具本体１２及び複数のブラシ毛２１を具備している。
【００１９】
図４に示すように吸込み具本体１２は、吸込み管部１３とブラシ台部１５を備えている。吸込み管部１３の軸方向両端は夫々開口されている。この吸込み管部１３の上流側部位１３ａの内径は、下流側部位１３ｂの内径より大きい。吸込み管部１３の下流側部位１３ｂは、延長管７が有した内管７ｂの先端部に着脱可能に嵌合される。吸込み管部１３の上流側部位１３ａの内側に、吸込み口体８の接続管８ａが着脱可能に嵌合される。
【００２０】
ブラシ台部１５は、本実施形態では吸込み管部１３と別体であって環形に形成されていて、上流側部位１３ａの先端部に一対の枢軸１６（図５参照）を介して回動可能に取付けられている。すなわち、枢軸１６は、ブラシ台部１５の内面から一体に突出されているとともに、上流側部位１３ａの先端部に形成された軸受孔１７（図４参照）に嵌合して吸込み管部１３に支持されている。したがって、ブラシ台部１５は軸受孔１７を支点として回動できる。
【００２１】
このブラシ台部１５の回動により、ブラシ台部１５は、図３及び図４に示すように吸込み管部１３の中心軸線に対して斜めに交差する姿勢を採る使用位置と、吸込み管部１３の中心軸線に略直交する姿勢を採る待避位置とのいずれかに配置される。使用位置に配置されたブラシ台部１５に対して、上流側部位１３ａの先端開口、つまり、吸込み管部１３の上流側開口１３ｃは、ブラシ台部１５の後部内側に対向して配置されるようになっている。なお、吸込み具１１を使用しての掃除では、図４に示すように使用者が吸込み具１１を押し動かす方向が前側で、この逆に吸込み具１１を引き戻す方向が後側であるから、ブラシ台部１５の後部とは引き戻し側に位置する後側略半分を指している。
【００２２】
図４中符号１８は軸状の係合部を示し、符号１９は弾性変形が可能な係合部受けを示している。ブラシ台部１５が使用位置に配置された際に、係合部１８は、係合部受け１９に係合して使用位置のブラシ台部１５が不用意に回動してふらつかないように保持する。ブラシ台部１５が使用位置から待避位置に回動される伴いその初期に係合部１８は係合部受け１９を弾性変形させながらこの係合部受け１９から外れるので、待避位置へのブラシ台部１５の回動が妨げられることはない。
【００２３】
ブラシ台部１５はその上部にカバー部１５ａを有している。このカバー部１５ａは、ブラシ台部１５が使用位置に配置されたときに、吸込み管部１３の内部から上側に外れた逃げ部１２ａ側の部位と、使用位置のブラシ台部１５の上部との間にできる隙間を、極力小さくするために設けられている。これとともに、カバー部１５ａは、ブラシ台部１５が待避位置に配置された際に、吸込み具本体１２に設けられている逃げ部１２ａに挿入される。
【００２４】
環形のブラシ台部１５は、図５に示すように前壁部１５ｂと、一対の側壁部１５ｃと、後壁部１５ｄとから形成されている。前壁部１５ｂは、使用者が吸込み具１１を押し動かす場合に進行方向前側に位置される壁部であって、例えばブラシ台部１５の前後方向と直交する幅方向に延びている。両側壁部１５ｃは、前壁部１５ｂの両端から後方に向けて略直角に折れ曲がって形成されていて、互いに略平行に設けられている。後壁部１５ｄは、使用者が吸込み具１１を押し動かす場合に進行方向後側に位置される壁部、言い換えれば、使用者が吸込み具１１を引き戻す場合に進行方向前側に位置される壁部であって、例えば後向きに突出するＵ字状をなしていて、両側壁部１５ｃを一体に連続して設けられている。
【００２５】
図３及び図５に示すように複数のブラシ毛２１は、ブラシ台部１５に、このブラシ台部１５の周方向に沿って一定間隔で植毛されて環状に並べられていて、ブラシ台部１５の下面から突出されている。各ブラシ毛２１は、複数本の毛材を束状に集合して形成されている。
【００２６】
前壁部１５ｂに植毛されたブラシ毛２１の内で図５中寸法Ａ内に配設されたブラシ毛２１と、両側壁部１５ｃに植毛されたブラシ毛２１の内で図５中寸法Ｂ内に配設されたブラシ毛２１は、次のように形成されている。即ち、図４に示す側壁部１５ｃに植毛されたブラシ毛２１同士の関係で代表して説明すれば、並び方向に隣接したブラシ毛２１の高さ方向中央部同士のブラシ毛間隔Ｘよりも、同じく並び方向に隣接したブラシ毛２１の毛先側同士のブラシ毛間隔Ｙの方が広くなるように、各ブラシ毛２１の形状が加工されている。
【００２７】
具体的には、寸法Ａ，Ｂ内に配設されたブラシ毛２１は、短い毛材群（これを符号２１ａで示す。）と長い毛材群（これを符号２１ｂで示す。）とで形成されているとともに、これら長短の毛材群２１ａ,２１ｂは、ブラシ毛２１の高さ方向中央部に段差２１ｃを形成して束状に集合されている。そのため、前記並び方向に隣接したブラシ毛２１の相互間隔は、段差２１ｃを境にこれより根元側が狭く、段差２１ｃより毛先側が広く形成されている。言い換えれば、同じ長さの毛材を束状に集合させたブラシ毛を植毛した場合と比較して、隣接したブラシ毛２１の毛先側同士の間隔が広くなっていて、同毛先側はいわば梳かれた状態になっている。
【００２８】
これに対して、図５中寸法Ｃ内に配設されたブラシ毛２１（つまり、前壁部１５ｂと側壁部１５ｃとが作る角部に植毛されたブラシ毛２１）と、図５中寸法Ｄ内に配設されたブラシ毛２１（つまり、後壁部１５ｄに植毛されたブラシ毛２１）は、同じ長さの毛材を束状に集合させて形成されている。なお、これら毛材の長さは、寸法Ａ，Ｂ内に配設されたブラシ毛２１の長い毛材群２１ｂの長さと同じである。これにより、図５中寸法Ｃ,Ｄ内に配設されたブラシ毛２１はその根元から毛先に向けて次第に広がっていて、これらブラシ毛の毛先側は既述のように梳かれた状態ではなく、互いに略接する状態になっている。
【００２９】
こうした構成の吸込み具１１を使用して掃除をするには、まず、この吸込み具１１の吸込み管部１３の上流側部位１３ａから吸込み口体８の接続管８ａを抜き取った上で、吸込み具１１を回動させて使用位置に配置する。この後、掃除機本体２内の電動送風機を運転させた状態下で、棚の上面等のような被掃除面に吸込み具１１のブラシ毛２１を接触させて、この吸込み具１１を前後又は左右方向等に動かすことによって、ブラシ毛２１で塵を掻き出しながら吸塵ができる。
【００３０】
ところで、各ブラシ毛２１はその根元から毛先に向けて次第に広がっている。それにも拘らず、ブラシ台部１５の前壁部１５ｂ及び両側壁部１５ｃに夫々植毛されたブラシ毛２１同士のブラシ毛間隔、つまり、それらが植毛された壁部に沿って並ぶ方向に隣接したブラシ毛２１同士のブラシ毛間隔は、既述のようにＹ＞Ｘの関係にある。
【００３１】
この関係により、吸込み具１１を、被掃除面に軽く接触させて移動させながら掃除をする場合は言うまでもなく、仮に、被掃除面に強く押付けながら移動させて掃除をする場合でも、隣接したブラシ毛２１の毛先側間に隙間が確保され易い。そのため、被掃除面上の塵が、環状をなしたブラシ毛列の周囲からブラシ毛列の内側に向けて、隣接したブラシ毛２１の毛先側間を円滑に通って吸引され易い。これに伴い、ブラシ毛２１への毛絡みが抑制されるとともに吸塵性能を向上できる。そして、以上のように毛絡みが抑制されることにより、ブラシ毛２１に絡んだ塵を除去するための頻度が低下するので、吸込み具１１の使い勝手を向上できる。
【００３２】
既述のようにブラシ毛２１の高さ方向中央部に段差２１ｃを設けるという形状的工夫によって、環状の並び方向に隣接するブラシ毛２１の毛先側でのブラシ毛間隔Ｙを広くしたので、この実現のためにブラシ毛２１を例えば１本置きに間引かないで済む。このため、被掃除面に接するブラシ毛２１の数が減らないことに伴い、ブラシ毛２１による被掃除面上の塵の掻き出し性能の低下を招くことがない。それだけではなく、前記ブラシ毛間隔Ｙが確保されたことで、被掃除面に接する長い方の毛材群２１ｂの毛先部が、被掃除面に押されて弾性変形した後に復元する場合に、この復元が、隣接した毛材群２１ｂの毛先部に邪魔され難く、毛材群２１ｂは容易に復元できる。そのため、ブラシ毛２１による被掃除面上の塵を掻き出す上で好ましい。
【００３３】
したがって、前記構成の吸込み具１１によれば、ブラシ毛２１による塵の掻き出し性能の低下を招くことなく、ブラシ毛２１への毛絡みを抑制できるとともに吸塵性能も向上できる。
【００３４】
更に、本実施形態の吸込み具１１のブラシ台部１５の後壁部１５ｄはＵ字状に形成され、この後壁部１５ｄに植毛された複数のブラシ毛２１は、長い毛材群２１ｂのみを束状に集合させて形成されている。そのため、後壁部１５ｄに植毛された複数のブラシ毛２１の毛先側のブラシ毛間隔は、根元側よりも狭くなっている。
【００３５】
これにより、吸込み具１１を前進させて使用する際、環状のブラシ毛列の内側に吸込まれた塵が、後壁部１５ｄに植毛された複数のブラシ毛２１を通り抜けることが抑制される。これとともに、後壁部１５ｄに植毛された複数のブラシ毛２１で塞き止められた塵が、後壁部１５ｄにこれに沿ってＵ字状に植毛された複数のブラシ毛２１で導かれて、Ｕ字状をなした後壁部１５ｄの内側中央部に集められるようになる。
【００３６】
そして、後壁部１５ｄの内側中央部には、その上方から吸込み管部１３の上流側開口１３ｃが対向されているので、既述のように集められる塵を、その傍らか吸上げて掃除機本体２側に導くことができる点で好ましい。
【００３７】
又、本実施形態の吸込み具１１のブラシ毛２１の内で、ブラシ台部１５の前壁部１５ｂと側壁部１５ｃとが作る角部に植毛された複数のブラシ毛２１は、前記角部の形状に沿って設けられているとともに、長い毛材群２１ｂのみを束状に集合させて形成されている。そのため、前記角部に植毛された複数のブラシ毛２１を、例えば部屋の角に合わせて吸込み具１１を使用できるので、前記部屋の角等の塵を掻き出すのに好適である。
【００３８】
なお、図５に示すように本実施形態では、一対の側壁部１５ｃに夫々植毛されたブラシ毛２１の前部（図５において上側の部位）が長い方の毛材群２１ｂで作られ、同ブラシ毛２１の後部（図５において下側の部位）が短い方の毛材群２１ａで作られているとともに、これらのブラシ毛が左右対称に設けられている。しかし、これに代えて、一方の側壁部１５ｃに植毛されたブラシ毛２１と他方の側壁部１５ｃに植毛されたブラシ毛２１との位置を、上下方向（側壁部１５ｃが延びる方向）にずらすことにより、両側壁部１５ｃに植毛されたブラシ毛２１を左右非対称に設けることができる。或いは、両側壁部１５ｃに植毛されたブラシ毛２１は左右対称に設けられているが、一方の側壁部１５ｃに植毛されたブラシ毛２１の前部が長い方の毛材群２１ｂで作られ、同ブラシ毛２１の後部が短い方の毛材群２１ａで作られているのに対して、他方の側壁部１５ｃに植毛されたブラシ毛２１の前部が短い方の毛材群２１ａで作られ、同ブラシ毛２１の後部が長い方の毛材群２１ｂで作られた構成とすることもできる。これらの構成では、被掃除面に沿って吸込み具１１を左右方向に移動させて掃除をする場合に、一方の側壁部１５ｃに植毛されたブラシ毛２１による塵の掻き出しと、他方の側壁部１５ｃに植毛されたブラシ毛２１による塵の掻き出しがずれるので、被掃除面上の塵の掻き出し漏れ、つまり、塵が筋状となって残る恐れを抑制する上で好ましい。
【００３９】
図６に示す本発明の第２実施形態を説明する。第２実施形態で、第１実施形態と同じ構成については、第１実施形態と同じ符号を付してその説明を説明する。第２実施形態が第１実施形態と異なる点は、ブラシ毛間隔Ｘに対してこれより広いブラシ毛間隔Ｘをブラシ毛２１の形状で得るための工夫である。
【００４０】
即ち、第２実施形態では、ブラシ台部１５の前壁部１５ｂ及び両側壁部１５ｃに夫々植毛された複数のブラシ毛２１は、いずれも複数の毛材を束状に集合させてなるが、その高さ方向中央部から毛先に至るに従い次第に細く形成されている。それにより、環形のブラシ台部１５に沿うブラシ毛２１の並び方向に隣接したブラシ毛２１の高さ方向中央部同士のブラシ毛間隔Ｘよりも、同じく並び方向に隣接したブラシ毛２１の毛先側同士のブラシ毛間隔Ｙの方を広くしている。そのため、前記並び方向に隣接したブラシ毛２１の相互間隔は、ブラシ毛２１の高さ方向中央部より根元側が狭く、同中央部より毛先側が広く形成されている。言い換えれば、同じ長さの毛材を束状に集合させたブラシ毛を植毛した場合と比較して、隣接したブラシ毛２１の毛先側同士の間隔が広くなっていて、同毛先側がいわば梳かれた状態になっている。この点以外の構成は、図６に示されない構成を含めて第１実施形態と同じである。
【００４１】
したがって、第２実施形態の吸込み具１１においても、ブラシ毛２１同士のブラシ毛間隔が、既述のようにブラシ毛間隔Ｘ,ＹがＹ＞Ｘの関係にあるので、第１実施形態で既に説明した理由によって、本発明の課題を解決することができる。
【００４２】
しかも、先細り状に形成されたブラシ毛２１をなす複数の毛材の長さが様々であるので、被掃除面に対する吸込み具１１の押付け具合に拘らず、いずれかの毛材の毛先を略真っ直ぐに被掃除面に接触させて、塵を掻き出すことができる。言い換えれば、被掃除面に強く吸込み具１１が押付けられても、それに伴いブラシ毛２１をなした毛材の先部側が塵の掻き出しに適さない状態、即ち、被掃除面に接した毛材の全てが被掃除面に沿って寝るような状態となることがない。したがって、先細り状に形成されたブラシ毛２１は、被掃除面の塵を掻き出す上で好ましい。
【００４３】
図７に示す本発明の第３実施形態を説明する。第３実施形態で、第１実施形態と同じ構成については、第１実施形態と同じ符号を付してその説明を説明する。
【００４４】
第３実施形態では、環形のブラシ台部１５に沿って植毛された全てのブラシ毛２１を、短い方の毛材群２１ａと長い方の毛材群２１ｂとで形成して、環形のブラシ台部１５に沿うブラシ毛２１の並び方向に隣接したブラシ毛２１同士のブラシ毛間隔Ｘ（図４参照）に対してこれより広いブラシ毛間隔Ｙ（図４参照）を得ている。この点以外の構成は、図７に示されない構成を含めて第１実施形態と同じである。
【００４５】
したがって、第３実施形態の吸込み具１１においても、ブラシ毛２１同士のブラシ毛間隔が、既述のようにブラシ毛間隔Ｘ,ＹがＹ＞Ｘの関係にあることにより、第１実施形態で既に説明した理由によって、本発明の課題を解決することができる。
【００４６】
なお、本発明は前記各実施形態に制約されない。例えば、第３実施形態のように全てのブラシ毛２１間で、ブラシ毛間隔Ｘ,ＹがＹ＞Ｘの関係を満たすことは、第２実施形態にも適用できる。又、第１、第２の実施形態において、前記Ｙ＞Ｘの関係を満たすブラシ毛２１は、ブラシ台部１５の前壁部１５ｂと両側壁部１５ｃに夫々植毛されたブラシ毛２１の内で、少なくとも両側壁部１５ｃに植毛されたブラシ毛２１だけであってもよい。又、前記各実施形態では、ブラシ台部１５がこれと別に作られた吸込み管部１３に回動可能に取付けられているが、本発明は、吸込み管部１３の上流側部位にブラシ台部１５が一体に形成されている吸込み具にも適用できる。
【図面の簡単な説明】
【００４７】
【図１】本発明の第１実施形態に係る吸込み具を備えた電気掃除機を示す斜視図。
【図２】図１の電気掃除機が備えた吸込み口体と吸込み具と延長管との関係を示す分解斜視図。
【図３】第１実施形態に係る吸込み具を示す斜視図。
【図４】図３の係る吸込み具を一部切欠いて示す側面図。
【図５】図４中矢印Ｆ５方向からみて示す吸込み具の正面図。
【図６】本発明の第２実施形態に係る吸込み具を一部切欠いて示す側面図。
【図７】本発明の第３実施形態に係る図５相当の正面図。
【符号の説明】
【００４８】
１１…吸込み具、１２…吸込み具本体、１３…吸込み管部、１３ｃ…吸込み管部の上流側開口、１５…ブラシ台部、１５ｂ…ブラシ台部の前壁部、１５ｃ…ブラシ台部の側壁部、１５ｄ…ブラシ台部の後壁部、２１…ブラシ毛、２１ａ…短い方の毛材群、２１ｂ…長い方の毛材群、２１ｃ…段差
【図１】
2010035847.tif 000003
【図２】
2010035847.tif 000004
【図３】
2010035847.tif 000005
【図４】
2010035847.tif 000006
【図５】
2010035847.tif 000007
【図６】
2010035847.tif 000008
【図７】
2010035847.tif 000009